(57)【特許請求の範囲】
【請求項１】
雄条と雌条から成る咬合部をスライダーで開閉するスライドファスナーにおいて、雄条と雌条のテープの長手方向の両端をＬ字状にカットして逃げ部を形成すると共にこのＬ字状のカットに沿ってテープのシールを行ったこと、前記ファスナーを袋の口内に横一直線状に挿入して前記カット部分の両端を袋のサイドシール内に挟み込んでサイドシールと一体に融着したこと、前記雄条と雌条のテープの下端を夫々袋の表と裏フィルムの内面にシールしたこと、前記ファスナーを挿入した袋の口の上縁側をシールすると共に前記ファスナーよりも下位に位置し、前記ファスナーの両サイドのカットした部分にかかる位置に開封手段を形成したこと、を特徴とするスライドファスナーを口内に有する袋。
【請求項２】
袋の口に形成した開封手段は、袋のサイドシールの外縁において対称位置に形成したＶカットと、この両サイドのＶカット方向に延伸した一軸延伸プラスチックフィルムで構成されていることを特徴とする請求項１に記載のスライドファスナーを口内に有する袋。
【発明の詳細な説明】
【０００１】
【発明の属する技術分野】
本発明は、袋の口内にスライダーを用いて雄条と雌条から成る咬合部を開閉する方式のファスナー（以下「スライドファスナー」と称す）を取り付けたプラスチックフィルム製の袋に関し、更に詳しくは、袋の内部に内容物を充填した後、この袋の口をカットして前記ファスナーを露出させることができる手段に関するものである。
【０００２】
【従来の技術】
スライドファスナーを口内に取り付けた袋の場合、このファスナーの上方の口をヒートシールすると共にファスナーとヒートシール間に袋の口をカットするための開封手段を設けるのが通例である。
図６は、このような開封手段を持った袋の正面口であって、スライダー１００ａ付のファスナー１００は袋１０１の口１０２内に挿入され、この袋１０１の口１０２はファスナー１００の上部で密封１０３され、開封手段１０４はファスナー１００の上部に設けられている。図中１００ｂはファスナー１００の雄条と雌条のテープである。
【０００３】
【発明が解決しようとする課題】
このため、図７に示すように開封手段１０４部分で袋１０１の口１０２を開封（カット）すると、図８に示すように、ファスナー１００の上方に袋１０１の表フィルム１０５と裏フィルム１０６の上縁１０７、１０８が位置し、この上縁１０７、１０８がひらひらしてファスナー１００の開閉の邪魔になると共に外観上も見栄えが良くないと云う欠点がある。
本発明の目的は、口をカットした後において、ファスナー全体が袋の口から露出しているためにスライダーでの開閉がしやすく、袋の外観の見栄えも良いスライドファスナーを口内部に取り付けた袋を提供することである。
【０００４】
【課題を解決するための手段】
上記目的を達成するため、請求項１に記載の発明においては、スライドファスナーを口内に有する袋において、雄条と雌条から成る咬合部をスライダーで開閉するスライドファスナーにおいて、雄条と雌条のテープの長手方向の両端をＬ字状にカットして逃げ部を形成すると共にこのＬ字状のカットに沿ってテープのシールを行ったこと、前記ファスナーを袋の口内に横一直線状に挿入して前記カット部分の両端を袋のサイドシール内に挟み込んでサイドシールと一体に融着したこと、前記雄条と雌条のテープの下端を夫々袋の表と裏フィルムの内面にシールしたこと、前記ファスナーを挿入した袋の口の上縁側をシールすると共に前記ファスナーよりも下位に位置し、前記ファスナーの両サイドのカットした部分にかかる位置に開封手段を形成したこと、を特徴とするものである。
【０００５】
更に、請求項２に記載の発明においては、請求項１に記載の発明において、袋の口に形成した開封手段は、袋のサイドシールの外縁において対称位置に形成したＶカットと、この両サイドのＶカット方向に延伸した一軸延伸プラスチックフィルムで構成されていることを特徴とするものである。
【０００６】
【作用】
袋の開封手段を用いて口をカットすると、ファスナーはスライダーごと袋の口から突出するようにして露出する。この結果、スライダーを摘んで楽に開閉することができる。また、袋のカット部分がファスナーを隠すようにして残らないため、外観も良くなる。
【０００７】
【実施例】
図１に本発明に係るスライドファスナーを口内に有する袋の全体を示す。図２はＡ−Ａ'線断面図、図３はＢ−Ｂ'線断面図、図４は袋の口を開封手段を用いてカットしている状態の説明図、図５は開封した袋の口からファスナーのスライダーと咬合部が突出し、露出している状態の説明図である。この図１〜図５において、１はプラスチックフィルム製の袋本体、２は表フィルム、３は裏フィルム、４、４ａはサイドシール、５は袋１の口を密封している口シールである。６はスライドファスナーであって、このファスナー６は雄条７と雌条８から成る咬合部をスライダー９で開閉する方式のもので、このファスナー６は、雄条７と雌条８に取り付けたテープ７ａと８ａを両端において雄条７と雌条８の両端よりもやや外側に長く形成し、雄条７と雌条８の端から下方に向ってＬ字状にカット１０、１０ａを行って逃げ部１１を形成し、前記カット１０、１０ａに沿ってテープ７ａと８ａをヒートシール１２、１２ａすることにより、テープ７ａと８ａの両サイドを密閉した構成である。
【０００８】
このファスナー６は、袋１の口１ａ内において、前記カット１０、１０ａの端部１３、１３ａは袋本体１のサイドシール４、４ａにかかり、サイドシール４、４ａと一体に融着され、テープ７ａ、８ａは夫々表フィルム２、３の内面にヒートシール１４、１５されている。
１６、１６ａは、サイドシール４、４ａの端に形成されたＶカットであって、このＶカット１６、１６ａは、ファスナー６の位置より上部で、口シール５よりも下に位置し、更にＶカット１６、１６ａ方向に向けて、表フィルム２と裏フィルム３には延伸がかけてある。このため、Ｖカット１６又は１６ａから引き裂くと、一直線状に表フィルム２と裏フィルム３は引き裂かれて行き、袋１は開封される。
【０００９】
図４はこの開封状態を示すもので、口シール５側を摘んで矢印ａ方向に引くと、袋１はＶカット１６の部分から引き裂かれ、次にファスナー６の雄条７と雌条８が図５に示すように袋１の口１ａから露出する。図２及び図３において、矢印のｂは、袋１が引き裂かれる位置である。
この結果、スライダー９を用いてファスナー６を開閉するのが楽であり、袋の切り端も小さいため、外観上の見栄えも良い。
【００１０】
【発明の効果】
本発明は以上のように、袋の口をカットすると、この切り口上にファスナー及びスライダーの全体が突出するようにして露出するため、スライダーを摘んでの開閉を容易に行うことができると共に開封した袋の口にひらひらした表と裏フィルムの上端が無くなるので、外観上の見栄えも大変良い。
また、本発明においては、ファスナーのテープを両サイドにおいてＬ字状にカットして逃げ部を形成し、サイドシールと一緒に融着するテープの量を減少させたことにより、この融着部分が膨出したり、硬化したり、熱不足等によりピンホールが発生したりする心配がない。
また、スライドファスナーが位置する部分において、袋側を透明とすることにより、ファスナー付の高機能袋であることが良く判り、商品価値を高めることができる。
【図面の簡単な説明】
【図１】本発明を実施した袋の説明図
【図２】Ａ−Ａ'線断面図
【図３】Ｂ−Ｂ'線断面図
【図４】開封している状態の説明図
【図５】Ｃ−Ｃ'線断面図
【図６】従来のファスナーを口内に取り付けた袋の説明図
【図７】Ｄ−Ｄ'線断面図
【図８】従来の袋において、口をカットした状態の説明図
【符号の説明】
１  袋本体
１ａ  口
２  表フィルム
３  裏フィルム
４、４ａ  サイドシール
５  口シール
６  ファスナー
７  雄条
８  雌条
７ａ、８ａ  テープ
９  スライダー
１０、１０ａ  カット
１１、１１ａ  逃げ部
１２、１２ａ  ヒートシール
１３、１３ａ  端部
１４、１５  ヒートシール
１６、１６ａ  Ｖカット
【図１】
0004683599.tif 000002
【図２】
0004683599.tif 000003
【図３】
0004683599.tif 000004
【図４】
0004683599.tif 000005
【図５】
0004683599.tif 000006
【図６】
0004683599.tif 000007
【図７】
0004683599.tif 000008
【図８】
0004683599.tif 000009